(57)【要約】【課題】構成が単純かつ低コストとなり、低電圧の駆動が可能なプラズマディスプレイ装置及びその駆動方法が提供する。【解決手段】本発明のプラズマディスプレイ装置は、スキャン電極及びサステイン電極を備えるプラズマディスプレイパネルと、第１サブフィールドのリセット期間前に第１パルスを前記スキャン電極に供給し、前記リセット期間において一定電圧を維持してから、次第に立ち下る第１リセットパルスを前記スキャン電極に供給し、第２サブフィールドのリセット期間において前記第１リセットパルスの一定電圧より高い電圧を有する第２リセットパルスを前記スキャン電極に供給するスキャン駆動部と、リセット期間前に前記第１パルスに対応して、前記第１パルスと反対極性の第２パルスを前記サステイン電極に供給するサステイン駆動部とを備えることを特徴とする。【選択図】図５ａ
2007011379.tif 000002
【特許請求の範囲】
【請求項１】
スキャン電極及びサステイン電極を備えるプラズマディスプレイパネルと、
第１サブフィールドのリセット期間前に第１パルスを前記スキャン電極に供給し、前記リセット期間において一定電圧を維持してから、次第に立ち下る第１リセットパルスを前記スキャン電極に供給し、第２サブフィールドのリセット期間において前記第１リセットパルスの一定電圧より高い電圧を有する第２リセットパルスを前記スキャン電極に供給するスキャン駆動部と、
リセット期間前に前記第１パルスに対応して、前記第１パルスと反対極性の第２パルスを前記サステイン電極に供給するサステイン駆動部と
を備えたことを特徴とするプラズマディスプレイ装置。
【請求項２】
前記第１パルスは、負極性パルスであり、前記第２パルスは、正極性パルスであることを特徴とする請求項１に記載のプラズマディスプレイ装置。
【請求項３】
前記第１パルスは、基底電圧から第１電圧まで所定の傾斜で立ち下ることを特徴とする請求項２に記載のプラズマディスプレイ装置。
【請求項４】
前記第１電圧は、アドレス期間において前記スキャン電極に印加される負極性スキャン電圧と略同じであることを特徴とする請求項３に記載のプラズマディスプレイ装置。
【請求項５】
前記第２パルスの電圧は、サステイン期間において前記サステイン電極に印加されるサステイン電圧と略同じであることを特徴とする請求項２に記載のプラズマディスプレイ装置。
【請求項６】
前記第１リセットパルスの一定電圧は、サステイン期間において前記スキャン電極に印加されるサステイン電圧と略同じであることを特徴とする請求項１に記載のプラズマディスプレイ装置。
【請求項７】
前記第２リセットパルスは、立ち上がりランプパルスを含むことを特徴とする請求項１に記載のプラズマディスプレイ装置。
【請求項８】
前記第２リセットパルスのピーク電圧を維持する時間は、第１リセットパルスの一定電圧を維持する時間より短いことを特徴とする請求項１に記載のプラズマディスプレイ装置。
【請求項９】
スキャン電極及びサステイン電極を備えるプラズマディスプレイパネルと、
リセット期間前に第１パルスを供給し、前記リセット期間において一定電圧を維持してから、次第に立ち下るリセットパルス、アドレス期間においてスキャンパルス、及びサステイン期間においてサステインパルスを、前記スキャン電極に供給するスキャン駆動部と、
リセット期間前に前記第１パルスと対応して、前記第１パルスと反対極性の第２パルスを前記サステイン電極に供給するサステイン駆動部を備え、
前記第１パルスと前記リセットパルスの立下りパルス及び前記スキャンパルスを同じ電圧源から発生させることを特徴とするプラズマディスプレイ装置。
【請求項１０】
前記第１パルスの電圧と、前記リセットパルスの立下りパルス及び前記スキャンパルスを発生させる前記同じ電圧源は、負極性スキャン電圧源であることを特徴とする請求項９に記載のプラズマディスプレイ装置。
【請求項１１】
前記リセットパルスの一定電圧及び前記サステインパルスのサステイン電圧を同じ電圧源から発生させることを特徴とする請求項９に記載のプラズマディスプレイ装置。
【請求項１２】
前記リセットパルスの一定電圧及び前記サステインパルスのサステイン電圧を発生させる前記同じ電圧源が、サステイン電圧源であることを特徴とする請求項１１に記載のプラズマディスプレイ装置。
【請求項１３】
前記スキャン駆動部は、
前記サステインパルス及び前記リセットパルスの一定電圧を前記スキャン電極に供給するサステイン電圧供給制御部と、
前記第１パルス及び前記リセットパルスの立下りパルスを前記スキャン電極に供給する負極性スキャン電圧供給制御部と
を備えたことを特徴とする請求項９に記載のプラズマディスプレイ装置。
【請求項１４】
前記第１パルスは、負極性パルスであり、前記第２パルスは、正極性パルスであることを特徴とする請求項９に記載のプラズマディスプレイ装置。
【請求項１５】
リセット期間前に第１パルスをスキャン電極に供給するステップと、
リセット期間前に前記第１パルスに対応して、前記第１パルスと反対極性の第２パルスをサステイン電極に供給するステップと、
リセット期間において一定電圧を維持してから、次第に立ち下るリセットパルスを前記スキャン電極に供給するステップと、
サステイン期間においてサステインパルスを前記スキャン電極と前記サステイン電極に交互に供給するステップと
を含むことを特徴とするプラズマディスプレイ装置の駆動方法。
【請求項１６】
前記第１パルスは、負極性パルスであり、前記第２パルスは、正極性パルスであることを特徴とする請求項１５に記載のプラズマディスプレイ装置の駆動方法。
【請求項１７】
前記リセットパルスの一定電圧は、前記サステインパルスの電圧と略同じであることを特徴とする請求項１５に記載のプラズマディスプレイ装置の駆動方法。
【請求項１８】
前記第２パルスの電圧は、前記サステインパルスの電圧と略同じであることを特徴とする請求項１６に記載のプラズマディスプレイ装置の駆動方法。
【請求項１９】
前記リセット期間のうち前記リセットパルスが次第に立ち下る期間においては、バイアス電圧を前記サステイン電極に印加することを特徴とする請求項１５に記載のプラズマディスプレイ装置の駆動方法。
【請求項２０】
前記サステイン電極に印加する前記バイアス電圧は、正の電圧であることを特徴とする請求項１９に記載のプラズマディスプレイ装置の駆動方法。
【発明の詳細な説明】
【技術分野】
【０００１】
本発明は、ディスプレイ装置に関し、さらに詳細には、プラズマディスプレイ装置及びその駆動方法に関する。
【０００２】
通常、ディスプレイ装置のうちプラズマディスプレイ装置は、プラズマディスプレイパネル及びプラズマディスプレイパネルを駆動する駆動部を備える。
【０００３】
通常、プラズマディスプレイパネルは、前面パネルと後面パネルとの間に形成された隔壁が１つの放電セルをなすものであって、各放電セル内には、ネオン（Ｎｅ）、ヘリウム（Ｈｅ）又はネオン及びヘリウムの混合気体（Ｎｅ＋Ｈｅ）等の主放電気体と少量のキセノン（Ｘｅ）を含有する不活性ガスとが充填されている。
【０００４】
このような複数の放電セルが集まって１つのピクセルをなす。例えば、赤色（Ｒｅｄ，Ｒ）放電セル、緑色（Ｇｒｅｅｎ，Ｇ）放電セル、青色（Ｂｌｕｅ，Ｂ）放電セルが集まって、１つのピクセルをなす。
【０００５】
そして、このようなプラズマディスプレイパネルは、高周波電圧により放電される際、不活性ガスは、真空紫外線（Ｖａｃｕｕｍ  Ｕｌｔｒａｖｉｏｌｅｔ  ｒａｙｓ）を発生し、隔壁間に形成された蛍光体を発光させることにより、画像が具現される。このようなプラズマディスプレイパネルは、薄くて軽い構成が可能なので、次世代表示装置として注目されている。
【０００６】
このようなプラズマディスプレイパネルには、複数の電極、例えばスキャン電極Ｙ、サステイン電極Ｚ、アドレス電極Ｘが形成され、このような複数の電極に所定の駆動電圧が供給されて放電が発生することによって、映像が具現される。
【０００７】
このように、映像の具現のために所定の駆動電圧を供給する駆動部が、プラズマディスプレイパネルの電極に接続される。
【０００８】
例えば、プラズマディスプレイパネルの電極のうちアドレス電極Ｘには、アドレス駆動部が接続され、スキャン電極Ｙには、スキャン駆動部が接続される。
【０００９】
このように、複数の電極が形成されたプラズマディスプレイパネルと、このようなプラズマディスプレイパネルの複数の電極に所定の駆動電圧を供給するための駆動部とを備えた構成をプラズマディスプレイ装置という。
【００１０】
ここで、従来のプラズマディスプレイ装置のうちプラズマディスプレイパネルは、スキャン電極Ｙにリセットパルスを供給する際、立ち上がりランプ波形により高い正極性の電圧（セットアップ電圧）及び立下りランプ波形により負極性のスキャン電圧を供給することから、両電圧間の差を制御又は絶縁するために、高い耐圧を有するスイッチ素子を使用するか、別のスイッチ素子を使用しなければならなかった。
【００１１】
高い電圧のスイッチ素子の使用に従い価格が上昇し、かつ抵抗値が増加して発熱の原因となるか、駆動時の抵抗による電圧低下の原因となって、駆動条件を悪化させるという問題があった。
【００１２】
また、隣接した素子の接続部位も高い電圧のため絶縁させなければならないので、駆動時の他の素子の耐圧と関連して素子が破壊されるか、誤動作を引き起こすという問題があった。
【発明の開示】
【発明が解決しようとする課題】
【００１３】
本発明は、上述の問題に鑑みてなされたもので、その目的は、高い電圧のスイッチ素子を使用しないことから、構成が単純かつ低コストとなり、リセットパルスのピーク電圧を引き下げることができるため、低電圧の駆動が可能なプラズマディスプレイ装置及びその駆動方法を提供することにある。
【課題を解決するための手段】
【００１４】
上記目的を達成すべく、本発明の一実施の形態に係るプラズマディスプレイによれば、スキャン電極及びサステイン電極を備えるプラズマディスプレイパネルと、第１サブフィールドのリセット期間前に第１パルスを前記スキャン電極に供給し、前記リセット期間において一定電圧を維持してから、次第に立ち下る第１リセットパルスを前記スキャン電極に供給し、第２サブフィールドのリセット期間において前記第１リセットパルスの一定電圧より高い電圧を有する第２リセットパルスを前記スキャン電極に供給するスキャン駆動部と、リセット期間前に前記第１パルスに対応して、前記第１パルスと反対極性の第２パルスを前記サステイン電極に供給するサステイン駆動部とを備える。
【００１５】
また、本発明の他の一実施の形態に係るプラズマディスプレイ装置によれば、スキャン電極及びサステイン電極を備えるプラズマディスプレイパネルと、リセット期間前に第１パルス、前記リセット期間において一定電圧を維持してから、次第に立ち下るリセットパルス、アドレス期間においてスキャンパルス、及びサステイン期間においてサステインパルスを、前記スキャン電極に供給するスキャン駆動部と、リセット期間前に前記第１パルスと対応して、前記第１パルスと反対極性の第２パルスを前記サステイン電極に供給するサステイン駆動部を備え、前記第１パルスと前記リセットパルスの立下りパルス及び前記スキャンパルスを同じ電圧源から発生させることを特徴とする。
【００１６】
また、本発明のさらに他の一実施の形態に係るプラズマディスプレイ装置の駆動方法によれば、リセット期間前に第１パルスをスキャン電極に供給するステップと、リセット期間前に前記第１パルスに対応して、前記第１パルスと反対極性の第２パルスをサステイン電極に供給するステップと、リセット期間において一定電圧を維持してから、次第に立ち下るリセットパルスを前記スキャン電極に供給するステップと、サステイン期間においてサステインパルスを前記スキャン電極と前記サステイン電極に交互に供給するステップとを含む。
【発明の効果】
【００１７】
本発明によれば、高い電圧のスイッチ素子を使用しないことから、構成が単純かつ低コストができ、リセットパルスのピーク電圧を引き下げることができるため、低電圧の駆動が可能であるという効果がある。
【００１８】
また、本発明は、負極性スキャンパルスの電圧−Ｖｙと立下りランプ（Ｒａｍｐ−Ｄｏｗｎ）信号の電圧と第１パルスの電圧−Ｖｙを、１つの電圧源を利用して発生させること、及び／又は、第２パルスの電圧Ｖｓとサステイン信号の電圧Ｖｓを１つの電圧源を利用して発生させることによって、プラズマディスプレイ装置の全体製造単価を低くするという効果がある。
【発明を実施するための最良の形態】
【００１９】
以下、本発明の最も好ましい実施の形態を、添付する図面を参照しながら詳細に説明する。
【００２０】
本発明の一実施の形態に係るプラズマディスプレイは、スキャン電極及びサステイン電極を備えるプラズマディスプレイパネルと、第１サブフィールドのリセット期間前に第１パルスを前記スキャン電極に供給し、前記リセット期間において一定電圧を維持してから、次第に立ち下る第１リセットパルスを前記スキャン電極に供給し、第２サブフィールドのリセット期間において前記第１リセットパルスの一定電圧より高い電圧を有する第２リセットパルスを前記スキャン電極に供給するスキャン駆動部と、リセット期間前に前記第１パルスに対応して、前記第１パルスと反対極性の第２パルスを前記サステイン電極に供給するサステイン駆動部とを備える。
【００２１】
前記第１パルスは、負極性パルスであり、前記第２パルスが、正極性パルスであることが好ましい。
【００２２】
前記第１パルスは、基底電圧から第１電圧まで所定の傾斜で立ち下ることが好ましい。
【００２３】
前記第１電圧は、アドレス期間において前記スキャン電極に印加される負極性スキャン電圧と略同じであることが好ましい。
【００２４】
前記第２パルスの電圧は、サステイン期間において前記サステイン電極に印加されるサステイン電圧と略同じであることが好ましい。
【００２５】
前記第１リセットパルスの一定電圧は、サステイン期間において前記スキャン電極に印加されるサステイン電圧と略同じであるが好ましい。
【００２６】
前記第２リセットパルスは、立ち上がりランプパルスを含むことが好ましい。
【００２７】
前記第２リセットパルスのピーク電圧を維持する時間は、第１リセットパルスの一定電圧を維持する時間より短いことが好ましい。
【００２８】
本発明の他の一実施の形態に係るプラズマディスプレイ装置は、スキャン電極及びサステイン電極を備えるプラズマディスプレイパネルと、リセット期間前に第１パルス、前記リセット期間において一定電圧を維持してから、次第に立ち下るリセットパルス、アドレス期間においてスキャンパルス、及びサステイン期間においてサステインパルスを、前記スキャン電極に供給するスキャン駆動部と、リセット期間前に前記第１パルスと対応して、前記第１パルスと反対極性の第２パルスを前記サステイン電極に供給するサステイン駆動部を備え、前記第１パルスと前記リセットパルスの立下りパルス及び前記スキャンパルスを同じ電圧源から発生させることを特徴とする。
【００２９】
前記第１パルスの電圧と前記リセットパルスの立下りパルス及び前記スキャンパルスを発生させる前記同じ電圧源が、負極性スキャン電圧源であることが好ましい。
【００３０】
前記リセットパルスの一定電圧及び前記サステインパルスのサステイン電圧を同じ電圧源から発生させることが好ましい。
【００３１】
前記リセットパルスの一定電圧及び前記サステインパルスのサステイン電圧を発生させる前記同じ電圧源が、サステイン電圧源であることが好ましい。
【００３２】
前記スキャン駆動部は、前記サステインパルス及び前記リセットパルスの一定電圧を前記スキャン電極に供給するサステイン電圧供給制御部と、前記第１パルス及び前記リセットパルスの立下りパルスを前記スキャン電極に供給する負極性スキャン電圧供給制御部とを備える。
【００３３】
前記第１パルスは、負極性パルスであり、前記第２パルスが、正極性パルスであることが好ましい。
【００３４】
また、本発明の更に他の一実施の形態に係るプラズマディスプレイ装置の駆動方法は、リセット期間前に第１パルスをスキャン電極に供給するステップと、リセット期間前に前記第１パルスに対応して、前記第１パルスと反対極性の第２パルスをサステイン電極に供給するステップと、リセット期間において一定電圧を維持してから、次第に立ち下るリセットパルスを前記スキャン電極に供給するステップと、サステイン期間においてサステインパルスを前記スキャン電極と前記サステイン電極に交互に供給するステップとを含む。
【００３５】
前記第１パルスが、負極性パルスであり、前記第２パルスが、正極性パルスであることが好ましい。
【００３６】
前記リセットパルスの一定電圧は、前記サステインパルスの電圧と略同じであることが好ましい。
【００３７】
前記第２パルスの電圧は、前記サステインパルスの電圧と略同じであることが好ましい。
【００３８】
前記リセット期間のうち前記リセットパルスが次第に立ち下る期間においては、バイアス電圧を前記サステイン電極に印加することが好ましい。
【００３９】
前記サステイン電極に印加する前記バイアス電圧が、正の電圧であることが好ましい。
【００４０】
以下、本発明の好ましい実施の形態を、添付図面に基づき詳細に説明する。
【００４１】
図１は、本発明の一実施の形態に係るプラズマディスプレイ装置を説明するための図である。
【００４２】
同図に示すように、本発明の一実施の形態に係るプラズマディスプレイ装置は、プラズマディスプレイパネル１００と、このようなプラズマディスプレイパネル１００の電極に所定の駆動電圧を供給するための駆動部、好ましくは、アドレス駆動部１６、スキャン駆動部１２、サステイン駆動部１４を備える。
【００４３】
ここで、プラズマディスプレイパネル１００は、前面パネル（図示せず）と後面パネル（図示せず）が一定の間隔を隔てて合着され、複数の電極例えば、スキャン電極Ｙとサステイン電極Ｚが複数個形成されることが好ましい。
【００４４】
このようなプラズマディスプレイパネル１００の構造を、添付した図２と関連付けてさらに詳細に説明すれば、以下の通りである。
【００４５】
ここで、プラズマディスプレイパネルは、前面パネルと後面パネルが一定の間隔を隔てて合着され、複数の電極例えば、スキャン電極Ｙとサステイン電極Ｚが複数個形成されることが好ましい。
【００４６】
このようなプラズマディスプレイパネルの構造を、添付し図２と関連付けてさらに詳細に説明すれば、以下の通りである。
【００４７】
図２は、本発明の一実施の形態に係るプラズマディスプレイ装置におけるプラズマディスプレイパネルの構造の一例を説明するための図である。
【００４８】
同図に示すように、本発明が一実施の形態に係るプラズマディスプレイ装置のプラズマディスプレイパネル１００は、画像がディスプレイされる表示面である前面基板２０１にスキャン電極２０２，Ｙとサステイン電極２０３，Ｚが形成された前面パネル２００、及び、背面をなす後面基板２１１上に上述のスキャン電極２０２，Ｙ及びサステイン電極２０３，Ｚと交差するように複数のアドレス電極２１３，Ｘが配列された後面パネル２１０が一定距離を隔てて並列に結合される。
【００４９】
前面パネル２００は、１つの放電空間、すなわち放電セルにおいて互いに放電させ、放電セルの発光を維持するためのスキャン電極２０２，Ｙ及びサステイン電極２０３，Ｚ、すなわち透明なＩＴＯ物質からなる透明電極ａと金属材質で製作されたバス電極ｂで備えられたスキャン電極２０２，Ｙ及びサステイン電極２０３，Ｚが対をなして含まれる。スキャン電極２０２，Ｙ及びサステイン電極２０３，Ｚは、放電電流を制限し、電極対間を絶縁させる１つ以上の上部誘電体層２０４により覆われ、上部誘電体層２０４の上面には、放電条件を容易にするために、酸化マグネシウム（ＭｇＯ）を蒸着した保護層２０５が形成される。
【００５０】
後面パネル２１０は、複数個の放電空間すなわち、放電セルを形成させるためのストライプタイプ（又はウェルタイプ）の隔壁２１２が平行を維持して配列される。また、アドレス放電を行って真空紫外線を発生させる複数のアドレス電極２１３，Ｘが隔壁２１２に対し平行に配置される。
【００５１】
後面パネル２１０の上側面には、アドレス放電の際、画像表示のための可視光線を放出するＲ，Ｇ，Ｂ蛍光体２１４が塗布される。アドレス電極２１３，Ｘと蛍光体２１４との間には、アドレス電極２１３，Ｘを保護するための下部誘電体層２１５が形成される。
【００５２】
この図２では、本発明が適用できるプラズマディスプレイパネルの一例のみを示し説明したものであり、本発明がこの図２の構造のプラズマディスプレイパネルに限定されるものではない。
【００５３】
例えば、この図２では、スキャン電極２０２，Ｙ及びサステイン電極２０３，Ｚは、それぞれ透明電極ａ及びバス電極ｂからなることのみをを示しているが、これとは異なって、スキャン電極２０２，Ｙとサステイン電極２０３，Ｚのうち少なくとも１つ以上は、バス電極ｂのみからなるか、又は透明電極ａのみからなることも可能である。
【００５４】
また、スキャン電極２０２，Ｙ及びサステイン電極２０３，Ｚが前面パネル２００に含まれ、アドレス電極２１３，Ｘは、後面パネル２１０に含まれることのみを示しているが、前面パネル２００に全ての電極が形成されるか、又はスキャン電極２０２，Ｙ、サステイン電極２０３，Ｚ、アドレス電極２１３，Ｘのうち少なくともいずれかの電極が隔壁２１２上に形成されることも可能である。
【００５５】
このような図２の内容を考慮するとき、本発明が適用できるプラズマディスプレイパネルは、駆動電圧を供給するためのスキャン電極２０２，Ｙ、サステイン電極２０３，Ｚ及びアドレス電極２１３，Ｘが形成されたものであり、その以外の条件は関係ない。
【００５６】
ここで、図２の説明を終わり、引き続き図１の説明を再びすることにする。
【００５７】
スキャン駆動部１２は、リセット期間においてプラズマディスプレイパネル１００のスキャン電極Ｙに立下りランプ（Ｒａｍｐ-Ｄｏｗｎ）パルスの電圧、すなわちセットダウン電圧を供給し、またスキャンパルスの負極性スキャン電圧を供給し、サステイン期間においてサステインパルスの電圧、すなわちサステイン電圧Ｖｓを供給する方法でスキャン電極Ｘを駆動させる。
【００５８】
また、リセット期間前に負極性の第１パルスを印加するが、これに対する詳細な説明は後述する。
【００５９】
サステイン駆動部１４は、画像を表示するサステイン期間においてサステイン電極Ｚにサステインパルスの電圧、すなわちサステイン電圧Ｖｓを供給し、またアドレス期間においてサステインバイアス電圧を供給する方法でサステイン電極Ｚを駆動させる。
【００６０】
また、リセット期間前に正極性の第２パルスを印加するが、これに対する詳細な説明は後述する。
【００６１】
アドレス駆動部１６は、アドレス期間においてプラズマディスプレイパネル１００のアドレス電極Ｘにデータパルスの電圧Ｖａを供給する方法でアドレス電極Ｘを駆動させる。
【００６２】
図３は、本発明の一実施の形態に係るプラズマディスプレイ装置における２５６階調を具現するための８ビットデフォルトコードのサブフィールドパターンを示す図を説明するための図である。
【００６３】
同図に示すように、プラズマディスプレイパネルは、画像の階調を具現するために、１フレームを発光回数の異なる複数のサブフィールドに分けて時分割駆動する。
【００６４】
各サブフィールドは、全画面を初期化させるためのリセット期間、スキャンラインを選択し、選択されたスキャンラインから放電セルを選択するためのアドレス期間及び放電回数に応じて階調を具現するサステイン期間に分けられる。
【００６５】
例えば、２１６階調で画像を表示しようとする場合に、１／２０秒に該当するフレーム期間（１６．６７ｍｓ）は、８個のサブフィールドＳＦ１〜ＳＦ８に分けられる。
【００６６】
８個のサブフィールドＳＦ１〜ＳＦ８それぞれは、上述のように、リセット期間ＲＰ、アドレス期間ＡＰ及びサステイン期間ＳＰに分けられる。
【００６７】
この時、各サブフィールドのリセット期間ＲＰとアドレス期間ＡＰは、各サブフィールドごとに同じであることに対し、サステイン期間とそれに割り当てられるサステインパルスの数は、各サブフィールドにおいて２ｎ（ｎ＝０，１，２，３，４，５，６，７）の割合で増加する。
【００６８】
ここで、図３においては、本発明が適用できるサブフィールドパターンの一例のみを示し説明したものであって、本発明はこの図３のサブフィールドパターンに限定されるものではない。
【００６９】
図４は、本発明の一実施の形態に係るプラズマディスプレイ装置のうちスキャン駆動部の構成をさらに詳細に説明するための図であり、図５ａ〜図５ｂは、図４に示された本発明の一実施の形態に係るプラズマディスプレイ装置により生成される駆動波形を示す図である。
【００７０】
図４及び図５を参照して、本発明の一実施の形態に係るプラズマディスプレイ装置及び各期間別駆動波形を説明する。
【００７１】
図４及び図５ａに示すように、本発明の一実施の形態に係るプラズマディスプレイ装置は、第１パルス、リセットパルス、基底電圧ＧＮＤ及び負極城スキャン電圧、サステインパルスを利用してパネルキャパシタＣｐ１のスキャン電極Ｙを駆動するスキャン駆動部１２と、第２パルス、基底電圧ＧＮＤ及びサステインパルスを利用してパネルキャパシタＣｐ１のサステイン電極Ｚを駆動するサステイン駆動部１４と、データ電圧Ｖａを利用してパネルキャパシタＣｐ２，Ｃｐ３のアドレス電極Ｘを駆動するアドレス駆動部１６とを備える。
【００７２】
この時、図４のパネルキャパシタＣｐ１は、プラズマディスプレイパネル１００のスキャン電極Ｙとサステイン電極Ｚとの間に形成される静電容量を等価的に示したものである。このような、パネルキャパシタＣｐ１は、スキャン電極Ｙ及びサステイン電極Ｚに供給されたサステインパルスによりサステイン放電を発生する。
【００７３】
パネルキャパシタＣｐ２，Ｃｐ３は、プラズマディスプレイパネル１０のアドレス電極Ｘとそれぞれスキャン電極Ｙ及びサステイン電極Ｚとの間に形成される静電容量を等価的に示したものである。
【００７４】
＜スキャン駆動部＞
【００７５】
スキャン駆動部１２は、パネルキャパシタＣｐ１のスキャン電極Ｙに、リセット期間ＲＰの前のプリリセット期間ＰＲＰの間、ランプ波形で基底電圧から負極性スキャン電圧−Ｖｙまで立ち下る第１パルスを供給し、リセット期間ＲＰの間、サステイン電圧Ｖｓを維持してからランプ波形で第１電圧まで立ち下るリセットパルスを供給する。
【００７６】
ここで、第１電圧は、負極城スキャン電圧−Ｖｙであることが好ましい。
【００７７】
また、スキャン駆動部１２は、パネルキャパシタＣｐ１のスキャン電極Ｙに、アドレス期間ＡＰ及びサステイン期間ＳＰの間、通常の負極性スキャン電圧を供給して、サステインパルスが交互に供給される。
【００７８】
このために、スキャン駆動部１２は、サステイン電圧源Ｖｓ、負極性スキャン電圧源−Ｖｙ、負極性スキャン電圧供給制御部２１、スキャン基準電圧供給部２２、スキャン集積回路２５、サステイン電圧供給制御部２６を備える。
【００７９】
負極性スキャン電圧供給制御部２１は、第１ノードＮ１にサステイン電圧供給制御部２６とスキャン集積回路２５と接続されており、他方は負極性スキャン電圧源−Ｖｙに接続されている。負極性スキャン電圧供給制御部２１は、リセット期間ＲＰの前のプリリセット期間ＰＲＰ（Ｐｒｅ-Ｒｅｓｅｔ  Ｐｅｒｉｏｄ）の間、パネルキャパシタＣｐ１のスキャン電極Ｙに、ランプ波形で基底電圧から負極性スキャン電圧−Ｖｙまで立ち下る第１パルスを供給する。
【００８０】
負極性スキャン電圧供給制御部２１は、第１ノードＮ１と負極性のスキャン電圧電圧源−Ｖｙとの間に接続された第１スイッチＳＷ１と、第１スイッチＳＷ１のゲート端子に接続された第１可変抵抗Ｒ１、及び第１スイッチＳＷ１と並列に接続された第２スイッチＳＷ２を備える。負極性スキャン電圧供給制御部２１は、リセット期間ＲＰの前のプリリセット期間ＰＲＰの間、パネルキャパシタＣｐ１のスキャン電極Ｙに、タイミングコントローラー（図示せず）から供給されるスイッチング制御信号に応答して、ランプ波形で基底電圧から負極性スキャン電圧−Ｖｙまで所定の傾斜で立ち下る第１パルスを供給する。
【００８１】
すなわち、基底電圧においてタイミングコントローラーから供給されるスイッチング制御信号に応答して第１スイッチＳＷ１がオンされながら、第１可変抵抗Ｒ１により所定の傾斜を有するランプ波形がパネルキャパシタＣｐ１のスキャン電極Ｙに供給される。スキャン電圧−Ｖｙまで立ち下がった後、第１スイッチがオフとなり、負極性スキャン電圧供給制御部２１の第２スイッチＳＷ２がオンになるので、負極城スキャン電圧−Ｖｙを供給する。
【００８２】
また、負極性スキャン電圧供給制御部２１は、リセット期間ＲＰのうち所定の期間Ｔ２の間、タイミングコントローラーから供給されるスイッチング制御信号に応答して、サステイン電圧Ｖｓから基底電圧まで所定の傾斜で立ち下るランプ波形をパネルキャパシタＣｐ１のスキャン電極Ｙに供給する。
【００８３】
このランプ波形は、負極性スキャン電圧供給制御部２１の第１スイッチＳＷ１と第１可変抵抗Ｒ１を利用して負極性スキャン電圧−Ｖｙまで立ち下がり、パネルキャパシタＣｐ１のスキャン電極Ｙに供給される。
【００８４】
スキャン基準電圧供給部２２は、タイミングコントローラーから供給されるスイッチング制御信号に応答して、スキャン集積回路２５とスキャン基準電圧源Ｖｓｃとを接続する第４スイッチＳＷ４を備えている。
【００８５】
すなわち、第４スイッチＳＷ４は、タイミングコントローラーから供給されるスイッチング制御信号に応答してオンになると同時に、スキャン集積回路２５の第５スイッチＳＷ５がオンになり、スキャン基準電圧源Ｖｓｃを第２ノードＮ２に電気的に接続させるので、パネルキャパシタＣｐ１のスキャン電極Ｙにスキャン基準電圧Ｖｓｃを供給する。
【００８６】
この時、スキャン集積回路２５の更に他の第６スイッチＳＷ６は、第１ノードＮ１に接続された負極性スキャン電圧供給制御部２１、サステイン電圧供給制御部２６をパネルキャパシタＣｐ１のスキャン電極Ｙに接続させるパスの役割を果たす。
【００８７】
負極性スキャン電圧供給制御部２１は、上述のプリリセット期間ＰＲＰの間、第１パルスの負極性スキャン電圧−ＶｙをパネルキャパシタＣｐ１のスキャン電極Ｙに供給するのみならず、アドレス期間ＡＰの所定の時間の間、負極性のスキャン電圧−Ｖｙを有する負極性スキャンパルスＳＣＮＰをパネルキャパシタＣｐ１のスキャン電極Ｙに供給する。
【００８８】
第２スイッチＳＷ２は、タイミングコントローラーから供給されるスイッチング制御信号に応答して、スキャン電圧源−Ｖｙから供給される負極性のスキャン電圧−Ｖｙを第１ノードＮ１に伝達する。これにより、アドレス期間において第１ノードＮ１には、負極性のスキャン電圧−Ｖｙが伝達される。
【００８９】
サステイン電圧供給制御部２６は、リセット期間ＲＰのうち所定の期間Ｔ１の間、タイミングコントローラーから供給されるスイッチング制御信号に応答して、正極性のサステイン電圧ＶｓをパネルキャパシタＣｐ１のスキャン電極Ｙに供給すると共に、サステイン期間ＳＰの間、サステイン電圧Ｖｓを有するサステインパルスをパネルキャパシタＣｐ１のスキャン電極Ｙに供給する。
【００９０】
サステイン電圧供給制御部２６は、第１ノードＮ１に接続され、リセット期間ＲＰのうち所定の期間Ｔ１の間、タイミングコントローラーから供給されるスイッチング制御信号に応答して、正極性のサステイン電圧ＶｓをパネルキャパシタＣｐ１のスキャン電極Ｙに供給すると共に、サステイン期間の間、基底電圧供給制御部３０と交互に、パネルキャパシタＣｐ１のスキャン電極Ｙにサステイン電圧Ｖｓを供給する。
【００９１】
このようなサステイン電圧供給制御部２６は、サステイン電圧源Ｖｓと第１ノードＮ１との間に接続された第７スイッチＳＷ７を備える。
【００９２】
第７スイッチＳＷ７は、タイミングコントローラーから供給されるスイッチング制御信号に応答して、リセット期間ＲＰのうち所定の期間Ｔ１及びサステイン期間ＳＰの間、サステイン電圧源Ｖｓを第１ノードＮ１に電気的に接続させる。
【００９３】
基底電圧供給制御部３０は、第１ノードＮ１に接続され、サステイン期間においてパネルキャパシタＣｐ１のスキャン電極Ｙに基底電圧ＧＮＤを供給する。
【００９４】
このような、基底電圧供給部３０は、基底電圧源ＧＮＤと第１ノードＮ１との間に接続された第８スイッチＳＷ８を備える。
【００９５】
第８スイッチＳＷ８は、タイミングコントローラーから供給されるスイッチング制御信号に応答して、基底電圧源ＧＮＤを第１ノードＮ１に電気的に接続させる。
【００９６】
これにより、サステイン期間において第１ノードＮ１には、基底電圧ＧＮＤが伝達される。
【００９７】
このような、第８スイッチＳＷ８は、サステイン期間の間、第７スイッチＳＷ７と交互に動作する。これにより、サステイン期間において第１ノードＮ１には、基底電圧ＧＮＤ及びサステイン電圧Ｖｓが交互に伝達される。
【００９８】
スキャン集積回路２５は、第１ノードＮ１とスキャン基準電圧供給源Ｖｓｃとの間にプッシュプル形態で接続される第５スイッチＳＷ５及び第６スイッチＳＷ６を備える。
【００９９】
ここで、第５スイッチＳＷ５と第６スイッチＳＷ６の共通ノードＮ２は、パネルキャパシタＣｐのスキャン電極Ｙに接続される。
【０１００】
したがって、第５スイッチＳＷ５は、タイミング制御部のスイッチング制御信号によりスキャン基準電圧供給源Ｖｓｃと第２ノードＮ２との間に接続されてスキャン電極Ｙにスキャン基準電圧Ｖｓｃを供給し、第６スイッチＳＷ６は、第２ノードＮ２と第１ノードＮ１に接続され、タイミング制御部のスイッチング制御信号により第１ノードＮ１に接続された負極性スキャン電圧供給制御部２１、サステイン電圧供給制御部２６、基底電圧供給制御部部３０をスキャン電極Ｙと接続させる。
【０１０１】
＜サステイン駆動部＞
【０１０２】
また、図４及び図５ａに示すように、サステイン駆動部１４は、プリリセット期間ＰＲＰの間、スキャン駆動部１２の負極性スキャン電圧供給制御部２１がランプ波形で基底電圧から負極性スキャン電圧−Ｖｙまで所定の傾斜で立ち下る第１パルスを供給する時、第１パルスと反対極性の正極性第２パルスをパネルキャパシタＣｐ１のサステイン電極Ｚに供給する。
【０１０３】
サステイン駆動部１４は、リセット期間ＲＰの特定期間Ｔ１の間、パネルキャパシタＣｐ１のサステイン電極Ｚに基底電圧ＧＮＤを供給する。
【０１０４】
また、サステイン駆動部１４は、リセット期間の一部Ｔ２及びアドレス期間ＡＰにおいてバイアス電圧ＶｓをパネルキャパシタＣｐ１のサステイン電極Ｚに供給する。
【０１０５】
ここで、バイアス電圧Ｖｓは、正の電圧であることが好ましい。
【０１０６】
一方、サステイン駆動部１４は、サステイン期間ＳＰにおいてパネルキャパシタＣｐ１のサステイン電極Ｚに基底電圧ＧＮＤ及びサステイン電圧Ｖｓを交互に供給する。即ち、サステイン駆動部１４は、スキャン電極Ｙに供給されるサステインパルスと交互に、基底電圧ＧＮＤからサステイン電圧Ｖｓに変化するサステインパルスをサステイン電極Ｚに供給する。
【０１０７】
一方、上述したそれぞれのスイッチＳＷ１〜ＳＷ８としては、ボディーダイオードが内蔵された電界効果トランジスタ（Ｆｉｅｌｄ  Ｅｆｆｅｃｔ  Ｔｒａｎｓｉｓｔｏｒ；ＦＥＴ）が用いられることが好ましいが、これに制限されることではない。
【０１０８】
このように、スキャン駆動部１２及びサステイン駆動部１４は、それぞれリセット期間の前のプリリセット期間において、パネルキャパシタＣｐ１のスキャン電極Ｙとサステイン電極Ｚに負極性の第１パルスと正極性の第２パルスを供給するので、両極間に加えられる電圧と壁電荷を利用して、次のリセット電圧をサステイン電圧程度に低く駆動することができる。
【０１０９】
したがって、スキャン駆動部１２とサステイン駆動部１４は、それぞれリセット期間の前のプリリセット期間において、パネルキャパシタＣｐ１のスキャン電極Ｙとサステイン電極Ｚに負極性の第１パルスと正極性の第２パルスを供給するので、セットアップの際、所定の傾斜で立ち上がるランプ波形をパネルキャパシタＣｐ１のスキャン電極Ｙに供給する必要がなくなる。
【０１１０】
また、このようにスキャン電極とサステイン電極に駆動電圧を分圧して加えることから、実際のスイッチング素子の耐圧を低下させることができ、隣接素子と絶縁するために従来存在していたパススイッチを使用する必要がない。
【０１１１】
＜アドレス駆動部＞
【０１１２】
アドレス駆動部１６は、データ電圧ＶａをパネルキャパシタＣｐ２，Ｃｐ３のアドレス電極Ｘに供給する。
【０１１３】
アドレス駆動部１６は、アドレス電圧供給部を備え、アドレス期間ＡＰにおいて正極性のアドレス電圧Ｖａを有するアドレスパルス又はデータパルスをアドレス電極Ｘに供給する。
【０１１４】
ここで、本発明の一実施の形態に係るプラズマディスプレイ装置により生成される駆動波形は、１フレームを構成する全てのサブフィールドにおけるリセット期間ＲＰの前のプリリセット期間ＰＲＰにおいて負極性の第１パルス及び正極性の第２パルスを印加したが、これに限定されるものではない。
【０１１５】
例えば、１フレームを発光回数の異なる複数のサブフィールドのうち、一部のサブフィールドのみにリセット期間ＲＰの前のプリリセット期間ＰＲＰにおいて負極性の第１パルス及び正極性の第２パルスを印加することもでき、これに対しては図５ｂを参照して説明する。
【０１１６】
図５ｂに示すように、第１サブフィールド（第１ＳＦ）では、図５ａにて説明したような駆動波形をプラズマディスプレイパネル１００に印加する。
【０１１７】
これに対し、第２サブフィールド（第２ＳＦ）の第１サブフィールド（第１ＳＦ）とは異なり、プリリセット期間ＰＲＰは存在せず、リセット期間ＲＰには、第２リセットパルスを印加する。
【０１１８】
ここで、第２サブフィールド（第２ＳＦ）のリセットパルス、すなわち、第２リセットパルスは、所定の傾斜で立ち上がる立ち上がりランプパルスＰＲを含む。
【０１１９】
また、第２リセットパルスの最高電圧Ｖｓ＋Ｖｓｅｔｕｐは、第１サブフィールド（第１ＳＦ）のリセットパルス、すなわち、第１リセットパルスの最高電圧Ｖｓより高い。また、第２リセットパルスが最高電圧Ｖｓ＋Ｖｓｅｔｕｐを維持する時間Ｔ４は、第１リセットパルスが最高電圧Ｖｓを維持する時間Ｔ３より短い。
【０１２０】
上述のように、１フレームを構成する複数のサブフィールドに第１サブフィールドの駆動波形のみを印加でき、第１サブフィールドの駆動波形と第２サブフィールドの駆動波形を共に印加することもできる。
【０１２１】
本発明によれば、高い電圧のスイッチ素子を使用しないことから、構成が単純かつ低コストができ、リセットパルスのピーク電圧を引き下げることができるため、低電圧の駆動が可能であるという効果がある。
【０１２２】
また、本発明によれば、負極性スキャンパルスの電圧−Ｖｙと立下りランプ（Ｒａｍｐ−Ｄｏｗｎ）信号の電圧と第１パルスの電圧−Ｖｙを、１つの電圧源を利用して発生させること、及び／又は、第２パルスの電圧Ｖｓとサステイン信号の電圧Ｖｓを１つの電圧源を利用して発生させることによって、プラズマディスプレイ装置の全体製造単価を低くするという効果がある。
【０１２３】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１２４】
【図１】本発明の一実施の形態に係るプラズマディスプレイ装置を説明するための図である。
【図２】本発明の一実施の形態に係るプラズマディスプレイ装置におけるプラズマディスプレイパネルの構造の一例を説明するための図である。
【図３】本発明の一実施の形態に係るプラズマディスプレイ装置における２５６階調を具現するための８ビットデフォルトコードのサブフィールドパターンを示す図を説明するための図である。
【図４】本発明の一実施の形態に係るプラズマディスプレイ装置のうちスキャン駆動部の構成をさらに詳細に説明するための図である。
【図５ａ】図４に示された本発明の一実施の形態に係るプラズマディスプレイ装置により生成される駆動波形を示す図である。
【図５ｂ】図４に示された本発明の一実施の形態に係るプラズマディスプレイ装置により生成される駆動波形を示す図である。
【図２】
2007011379.tif 000003
【図４】
2007011379.tif 000004
【図５ａ】
2007011379.tif 000005
【図５ｂ】
2007011379.tif 000006
【図１】
2007011379.tif 000007
【図３】
2007011379.tif 000008